【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
入力された画像データに対して画像処理を行う複数の画像処理手段を有する画像処理装置であって、
画像データに第１の画像処理を行う第１の画像処理手段と、
画像データに第２の画像処理を行う第２の画像処理手段と、
前記入力された画像データに前記第１の画像処理手段を特定するための第１の特定情報を付加して第１のパケットデータを生成する生成手段と、
前記第１の特定情報に基づいて、前記生成手段により生成された前記第１のパケットデータを前記第１の画像処理手段へ転送する転送手段とを有し、
前記第１の画像処理手段は、前記第１の画像処理が行われた画像データに前記第２の画像処理手段を特定するための第２の特定情報を付加して第２のパケットデータを生成し、前記転送手段は、前記第２の特定情報に基づいて、前記第２のパケットデータを前記第１の画像処理手段から前記第２の画像処理手段へ転送することを特徴とする画像処理装置。
【請求項２】
前記生成手段は、前記入力された画像データに前記第１の特定情報及び前記第２の特定情報を含む付加情報を付加して前記第１のパケットデータを生成し、
前記第１の画像処理手段は、前記第１の画像処理が行われた画像データに、前記付加情報から前記第１の特定情報を消去した情報を付加することにより前記第２のパケットデータを生成することを特徴とする請求項１に記載の画像処理装置。
【請求項３】
前記第１のパケットデータには、前記第１の画像処理に引き続き前記第２の画像処理を行うよう、前記第１の特定情報に引き続き前記第２の特定情報が前記付加情報として付加されており、
前記転送手段は、前記付加情報に基づいて、前記第１の画像処理手段に前記第１の画像処理を行わせるべく前記第１のパケットデータを前記第１の画像処理手段に転送した後に、前記第２の画像処理手段に前記第２の画像処理を行わせるべく前記第２のパケットデータを前記第２の画像処理手段に転送することを特徴とする請求項２に記載の画像処理装置。
【請求項４】
前記生成手段は、ページ単位で入力された画像データを、所定の大きさの矩形領域に分割することにより得られる矩形画像データに基づいて前記第１のパケットデータを生成することを特徴とする請求項１乃至３のいずれかに記載の画像処理装置。
【請求項５】
前記矩形画像データを記憶する記憶手段を有し、
前記転送手段は、少なくとも前記第１の画像処理及び前記第２の画像処理が行われた矩形画像データを前記記憶手段へ転送することを特徴とする請求項４に記載の画像処理装置。
【請求項６】
ページ単位の画像データに基づいて用紙に画像を形成する画像形成手段を有し、
前記転送手段は、少なくとも前記第１の画像処理及び前記第２の画像処理が行われた矩形画像データにより構成されたページ単位の画像データを前記画像形成手段に転送することを特徴とする請求項５に記載の画像処理装置。
【請求項７】
前記第１の画像処理及び前記第２の画像処理の少なくともいずれか一方は画像データの回転処理であることを特徴とする請求項１乃至６のいずれかに記載の画像処理装置。
【請求項８】
前記第１の画像処理及び前記第２の画像処理の少なくともいずれか一方は画像データの解像度変換処理であることを特徴とする請求項１乃至６のいずれかに記載の画像処理装置。
【請求項９】
前記第２の画像処理手段は、前記第１の画像処理手段が第１の画像データに前記第１の画像処理を行っている際に、前記第１の画像データとは異なる第２の画像データに前記第２の画像処理を実行可能であることを特徴とする請求項１乃至８のいずれかに記載の画像処理装置。
【請求項１０】
前記第１の画像データ及び前記第２の画像データは、ページ単位で入力された画像データを所定の大きさの矩形領域に分割することにより得られる複数の矩形画像データのいずれかであることを特徴とする請求項９に記載の画像処理装置。
【請求項１１】
画像データを入力する複数の入力手段を有し、
前記第２の画像処理手段は、前記第１の画像処理手段が第１の入力手段から入力された第１の画像データに前記第１の画像処理を実行している際に、第２の入力手段から入力された第２の画像データに前記第２の画像処理を実行可能であることを特徴とする請求項１乃至１０のいずれかに記載の画像処理装置。
【請求項１２】
前記生成手段は、前記画像形成装置が有する画像処理手段の数に応じた複数の特定情報を付加情報としてパケットデータに付加可能であり、前記付加情報は前記画像処理手段の数に応じた固定長の情報であることを特徴とする請求項１乃至１１の少なくともいずれかに記載の画像処理装置。
【請求項１３】
入力された画像データに対して複数の画像処理部を用いた画像処理を行う画像処理方法であって、
前記入力された画像データに第１の画像処理を行う第１の画像処理部を特定するための第１の特定情報を付加して第１のパケットデータを生成する第１の生成工程と、
前記第１の特定情報に基づいて、前記生成工程により生成された前記第１のパケットデータを前記第１の画像処理部へ転送する第１の転送工程と、
前記第１のパケットデータに含まれる画像データに対して前記第１の画像処理を行う第１の画像処理工程と、
前記第１の画像処理工程にて前記第１の画像処理が行われた画像データに、第２の画像処理を行う第２の画像処理部を特定するための第２の特定情報を付加して第２のパケットデータを生成する第２の生成工程と、
前記第２の特定情報に基づいて、前記第２のパケットデータを前記第１の画像処理部から前記第２の画像処理部へ転送する第２の転送工程とを有することを特徴とする画像処理方法。
【手続補正２】
【補正対象書類名】明細書
【補正対象項目名】００１３
【補正方法】変更
【補正の内容】
【００１３】
上記目的を達成するために、本発明の画像処理装置では、入力された画像データに対して画像処理を行う複数の画像処理手段を有する画像処理装置であって、画像データに第１の画像処理を行う第１の画像処理手段と、画像データに第２の画像処理を行う第２の画像処理手段と、入力された画像データに第１の画像処理手段を特定するための第１の特定情報を付加して第１のパケットデータを生成する生成手段と、第１の特定情報に基づいて、生成手段により生成された第１のパケットデータを第１の画像処理手段へ転送する転送手段とを有し、第１の画像処理手段は、第１の画像処理が行われた画像データに第２の画像処理手段を特定するための第２の特定情報を付加して第２のパケットデータを生成し、転送手段は、第２の特定情報に基づいて、第２のパケットデータを第１の画像処理手段から第２の画像処理手段へ転送することを特徴とする。
【手続補正３】
【補正対象書類名】明細書
【補正対象項目名】００１４
【補正方法】変更
【補正の内容】
【００１４】
また、本発明の画像処理方法では、入力された画像データに対して複数の画像処理部を用いた画像処理を行う画像処理方法であって、入力された画像データに第１の画像処理を行う第１の画像処理部を特定するための第１の特定情報を付加して第１のパケットデータを生成する第１の生成工程と、第１の特定情報に基づいて、生成工程により生成された第１のパケットデータを第１の画像処理部へ転送する第１の転送工程と、第１のパケットデータに含まれる画像データに対して第１の画像処理を行う第１の画像処理工程と、第１の画像処理工程にて第１の画像処理が行われた画像データに、第２の画像処理を行う第２の画像処理部を特定するための第２の特定情報を付加して第２のパケットデータを生成する第２の生成工程と、第２の特定情報に基づいて、第２のパケットデータを第１の画像処理部から第２の画像処理部へ転送する第２の転送工程とを有することを特徴とする。